(57)【特許請求の範囲】
【請求項１】
ＣＧ画像描画用データを格納するデータサーバと、このデータサーバに格納された前記ＣＧ画像描画用データに基づいて送出用のＣＧ画像である送出用画像を描画するＮ（Ｎ≧２）個の描画装置と、この描画装置が描画する送出用画像の次のＣＧ画像であるＮＥＸＴ画像を前記ＣＧ画像描画用データに基づいて描画するＭ（Ｍ＜Ｎ）個のＮＥＸＴ画像描画機と、前記描画装置へ前記送出用画像の描画指令を送出すると共に前記ＮＥＸＴ画像描画機へＮＥＸＴ画像の送出指令を送出するＮ（Ｎ≧２）個の制御端末とがネットワークを介して接続されるＣＧ画像確認システムであって、
前記制御端末は、前記ＮＥＸＴ画像の送出指令を前記ＮＥＸＴ画像描画機に送出し、前記ＮＥＸＴ画像描画機から前記ＮＥＸＴ画像を受信した後、前記ＮＥＸＴ画像の描画指令を前記描画装置に送出する前に、前記ＮＥＸＴ画像を表示することを特徴とするＣＧ画像確認システム。
【請求項２】
請求項１記載のＣＧ画像確認システムにおいて、
前記制御端末は、前記描画装置へ前記送出用画像の描画指令を送出するための送出ボタンを備え、前記送出ボタンを押下したタイミングで、前記描画装置に前記送出用画像の描画指令を送出し、前記ＮＥＸＴ画像の送出指令を前記ＮＥＸＴ画像描画機に送出することを特徴とするＣＧ画像確認システム。
【請求項３】
請求項２記載のＣＧ画像確認システムにおいて、
前記描画装置に前記送出用画像の描画指令を送出する前に、前記制御端末に表示された前記送出用画像以降のＣＧ画像であるＡＦＴＥＲ画像の送出指令を前記制御端末が前記ＮＥＸＴ画像描画機に送出したとき、前記ＮＥＸＴ画像描画機は、前記ＣＧ画像描画用データに基づいて描画した前記ＡＦＴＥＲ画像を前記制御端末に送出し、前記制御端末は前記ＮＥＸＴ画像描画機が送出した前記ＡＦＴＥＲ画像を表示することを特徴とするＣＧ画像確認システム。
【請求項４】
請求項１乃至３記載のＣＧ画像確認システムにおいて、
前記制御端末に記憶手段を備え、
前記ＮＥＸＴ画像を前記制御端末に表示した後、前記制御端末は前記記憶手段に前記ＮＥＸＴ画像を格納することを特徴とするＣＧ画像確認システム。
【発明の詳細な説明】
【技術分野】
【０００１】
本発明は、テレビジョン放送で用いるＣＧ（Computer Graphics）画像を送出する前に事前確認するためのＣＧ画像確認システムに関する。
【背景技術】
【０００２】
近年、ＣＧの利用が増え、これをリアルタイムにデータ処理し、それに基づくＣＧを描画（生成）する装置が製品化されている（特許文献１参照）。これらのＣＧを描画する装置（描画装置）は、コンピュータを使用しており、放送番組などに使用されている。
この描画装置を放送番組などに使用して、描画装置から連続的に送出される複数のＣＧ画像を事前確認しようとする場合、ＣＧ画像を送出するための描画装置であるＣＧ画像送出用描画装置とは別に、ＣＧ画像の送出前事前確認を行うための事前確認用描画装置を設け、事前確認用描画装置でＣＧ画像を確認した後、このＣＧ画像をＣＧ画像送出用描画装置に描画させて、送出するようにしていた。
【特許文献１】特開２００１−２４３０７３号公報
【発明の開示】
【発明が解決しようとする課題】
【０００３】
前記の従来技術では、ＣＧ画像送出用描画装置が複数台存在する場合、それぞれに事前確認用描画装置が必要となり、システムが巨大化すると共に、ハイビジョン制作が基本の現状においては、コスト的にも非常に高いものとなっていた。
そこで本発明では、システムの巨大化を抑制すると共に、コストを削減することができるＣＧ画像描画確認システムを提供することを目的とする。
【課題を解決するための手段】
【０００４】
前述の目的を達成するために、請求項１に係るＣＧ画像確認システムは、ＣＧ画像描画用データを格納するデータサーバと、このデータサーバに格納された前記ＣＧ画像描画用データに基づいて送出用のＣＧ画像である送出用画像を描画するＮ（Ｎ≧２）個の描画装置と、この描画装置が描画する送出用画像の次のＣＧ画像であるＮＥＸＴ画像を前記ＣＧ画像描画用データに基づいて描画するＭ（Ｍ＜Ｎ）個のＮＥＸＴ画像描画機と、前記描画装置へ前記送出用画像の描画指令を送出すると共に前記ＮＥＸＴ画像描画機へＮＥＸＴ画像の送出指令を送出するＮ（Ｎ≧２）個の制御端末とがネットワークを介して接続されるＣＧ画像確認システムであって、前記制御端末は、ＮＥＸＴ画像の送出指令を前記ＮＥＸＴ画像描画機に送出し、前記ＮＥＸＴ画像描画機から前記ＮＥＸＴ画像を受信した後、前記ＮＥＸＴ画像の描画指令を前記描画装置に送出する前に、前記ＮＥＸＴ画像を表示することを特徴とする。
【０００５】
このように構成したことにより、ＮＥＸＴ画像描画機は、描画装置と同じ台数用意するのではなく、描画装置に比べて少ない台数用意するだけで、描画装置で次に描画されるＮＥＸＴ画像を事前に制御端末の操作画面上に表示させて確認することができる。
【０００６】
更に、請求項２に係るＣＧ画像確認システムは、請求項１記載のＣＧ画像確認システムにおいて、前記制御端末は、前記描画装置へ前記送出用画像の描画指令を送出するための送出ボタンを備え、前記送出ボタンを押下したタイミングで、前記描画装置に前記送出用画像の描画指令を送出し、前記ＮＥＸＴ画像の送出指令を前記ＮＥＸＴ画像描画機に送出することを特徴とする。
【０００７】
このように構成したことにより、送出ボタンを押下して、前記制御端末が前記描画装置に前記送出用画像の描画指令を送出すると、前記描画装置に前記送出用画像が描画されるだけでなく、前記ＮＥＸＴ画像が前記制御端末の操作画面に表示させることができる。
【０００８】
更に、請求項３に係るＣＧ画像確認システムは、請求項２記載のＣＧ画像確認システムにおいて、前記描画装置に前記送出用画像の描画指令を送出する前に、前記制御端末に表示された前記送出用画像以降のＣＧ画像であるＡＦＴＥＲ画像の送出指令を前記制御端末が前記ＮＥＸＴ画像描画機に送出したとき、前記ＮＥＸＴ画像描画機は、前記ＣＧ画像描画用データに基づいて描画した前記ＡＦＴＥＲ画像を前記制御端末に送出することを特徴とする。
【０００９】
このように構成したことにより、前記描画装置に前記送出用画像の描画指令を送出する前に、前記ＡＦＴＥＲ画像を前記制御端末の操作画面上に表示させることができる。
【００１０】
更に、請求項４に係るＣＧ画像確認システムは、請求項１乃至３記載のＣＧ画像確認システムにおいて、前記制御端末に記憶手段を備え、前記ＮＥＸＴ画像を前記制御端末に表示した後、前記制御端末は前記記憶手段に前記ＮＥＸＴ画像を格納することを特徴とする。
【００１１】
このように構成したことにより、前記描画装置に前記ＮＥＸＴ画像の描画指令を送出した後でも、前記ＮＥＸＴ画像は前記記憶手段に格納されているため、前記記憶手段から前記ＮＥＸＴ画像を呼び出して前記制御端末の操作画面上に表示させることができる。
【発明の効果】
【００１２】
請求項１に記載の発明によれば、システムの巨大化を抑制すると共に、ハイビジョン制作が基本の現状において、コストを削減することができる。また、制御端末の操作者は、制御端末から視線をずらすことなく、描画装置で次に描画されるＮＥＸＴ画像を事前に確認することができるため、操作ミスの防止を実現できる。
請求項２に記載の発明によれば、送出ボタンを押下しただけで、描画装置に送出用画像が描画させるだけでなく、制御端末の操作画面上に表示された前記ＮＥＸＴ画像の事前確認も行うことができる。
請求項３に記載の発明によれば、送出用画像の描画指令を送出する前に、予め、送出用画像以降の画像（ＡＦＴＥＲ画像）を制御端末の操作画面上で確認することができる。
請求項４に記載の発明によれば、描画指令の送出済のＣＧ画像を制御端末の操作画面上で確認することができる。
【発明を実施するための最良の形態】
【００１３】
以下、本発明の一実施形態であるＣＧ画像確認システムについて、説明する。
＜１．本発明の一実施形態のＣＧ画像確認システムの構成＞
まず、本発明の一実施形態のＣＧ画像確認システムの構成について、図１を用いて説明する。図１は本発明の一実施形態のＣＧ画像確認システムの構成を示すブロック図である。
【００１４】
本実施形態のＣＧ画像確認システムは、Ｎ台のコントロール端末（制御端末）１−１〜１−Ｎ、Ｎ台の描画装置２−１〜２−Ｎ、ＮＥＸＴ画像描画機３、データサーバ４を有し、これらの各機器は、ネットワーク６を介して接続される。更に、各描画装置２−１〜２−Ｎには、それぞれ映像分配器９−１〜９−Ｎが接続されており、映像分配器９−１〜９−Ｎは、それぞれスクリーンモニタ５及び切換器７が接続されている。そして、切換器７にはオンエア用信号線が接続される。なお、コントロール端末１−１〜１−Ｎ、描画装置２−１〜２−Ｎ、ＮＥＸＴ画像描画機３、データサーバ４は、コンピュータである。また、コントロール端末１−１〜１−Ｎには、記憶装置８−１〜８−Ｎが接続されているかもしくは内蔵されている。
【００１５】
＜２．本実施形態のＣＧ画像確認システムの各機器＞
次に、本実施形態のＣＧ画像確認システムの各機器について、説明する。
データサーバ４は、描画装置２−１〜２−Ｎ、ＮＥＸＴ画像描画機３にテレビジョン放送に用いるＣＧ画像を描画させるためのデータを格納し、これらのデータを、常時、描画装置２−１〜２−Ｎ、ＮＥＸＴ画像描画機３に出力するものである。なお、ＣＧ画像を描画させるためのデータの具体例については、後記する。
【００１６】
描画装置２−１〜２−Ｎは、コントロール端末１−１〜１−ＮからＣＧ画像の描画指令を受信したとき、前記のＣＧ画像を描画させるためのデータを用いてＣＧ画像を描画し、このＣＧ画像を映像分配器９−１〜９−Ｎを介してスクリーンモニタ５と切換器７に送出するものである。
【００１７】
ＮＥＸＴ画像描画機３は、コントロール端末１−１〜１−ＮからＮＥＸＴ画像の送出指令を受信したとき、ＮＥＸＴ画像を描画後、キャプチャし、このキャプチャしたＮＥＸＴ画像の画像ファイルまたはこの画像ファイルの保存先情報をコントロール端末１−１〜１−Ｎに送出するものである。なお、ＮＥＸＴ画像とは、描画装置２−１〜２−Ｎで次に描画されるＣＧ画像のことである。即ち、現時点で描画装置２−１〜２−Ｎに描画されているＣＧ画像の次のＣＧ画像のことである。
【００１８】
コントロール端末１−１〜１−Ｎは、テレビジョン放送に用いられ、描画装置２−１〜２−Ｎで次に描画されるＣＧ画像（ＮＥＸＴ画像）を、事前にＮＥＸＴ画像描画機３から受信してコントロール端末１−１〜１−Ｎの操作画面上に表示するものである。この表示により、ＮＥＸＴ画像の事前確認を行う端末である。
【００１９】
コントロール端末１−１は描画装置２−１を、コントロール端末１−２は描画装置２−２を、………、コントロール端末１−Ｎは描画装置２−Ｎを制御することにより、描画装置２−１、描画装置２−２、………、描画装置２−Ｎで次に描画されるＣＧ画像の事前確認は、即ち、ＮＥＸＴ画像の事前確認は、それぞれ対応するコントロール端末１−１、コントロール端末１−２、………、コントロール端末１−Ｎで行う。そして、ＮＥＸＴ画像の事前確認を行う際、ＮＥＸＴ画像描画機３でキャプチャされて送出されたＮＥＸＴ画像の画像ファイルを受信することにより、このＮＥＸＴ画像をコントロール端末１−１〜１−Ｎの操作画面上に表示するため、表示されたＮＥＸＴ画像を操作者が目視することで行う。
【００２０】
なお、ＮＥＸＴ画像の画像ファイルではなく、ＮＥＸＴ画像の画像ファイルの保存先情報がＮＥＸＴ画像描画機３からコントロール端末１−１〜１−Ｎに送出する場合もあるが、その場合の動作説明については、後記する。
【００２１】
スクリーンモニタ５は、コントロール端末１−１〜１−Ｎと同じ部屋に設置された表示装置であり、例えば、描画装置２−１〜２−Ｎで描画される全てのＣＧ画像をマトリックス状に表示するものである。従って、コントロール端末１−１〜１−Ｎの操作者は、スクリーンモニタ５を目視することにより、描画装置２−１〜２−Ｎで描画されるＣＧ画像を確認することができる。なお、描画装置２−１〜２−ＮからＣＧ画像信号が映像分配器９−１〜９−Ｎを介してスクリーンモニタ５に送出されることにより、描画装置２−１〜２−Ｎで描画される全てのＣＧ画像がスクリーンモニタ５に表示される。
【００２２】
切換器７は、描画装置２−１〜２−ＮからのＣＧ画像信号がそれぞれ映像分配器９−１〜９−Ｎを介して入力されることで、Ｎ個のＣＧ画像を切り換えて出力することにより、オンエア用の映像を生成して出力するものである。
記憶装置８−１〜８−Ｎは、コントロール端末１−１〜１−Ｎに接続されるかもしくは内蔵され、コントロール端末１−１〜１−ＮがＮＥＸＴ画像描画機３から受信したＮＥＸＴ画像を操作画面上に表示した後、このＮＥＸＴ画像を格納するものである。
ネットワーク６は、コントロール端末１−１〜１−Ｎ、描画装置２−１〜２−Ｎ、ＮＥＸＴ画像描画機３、データサーバ４が互いに接続されるようにしたものである。
映像分配器９−１〜９−Ｎは、描画装置２−１〜２−Ｎから出力されたＣＧ画像信号をスクリーンモニタ５及び切換器７に出力するものである。
【００２３】
以上の構成により、本実施形態のＣＧ画像確認システムは、コントロール端末１−１〜１−Ｎからの指令によりＮＥＸＴ画像描画機３で描画され、キャプチャされ、送出されたＣＧ画像の画像ファイルを受信する毎に、コントロール端末１−１〜１−Ｎの操作画面にＣＧ画像が表示されることで、操作者がＣＧ画像の確認を行い、確認後、描画装置２−１〜２−ＮにＣＧ画像を描画させ、これらのＣＧ画像を、それぞれ映像分配器９−１〜９−Ｎを介してスクリーンモニタ５及び切換器７に出力させている。この出力により、スクリーンモニタ５では描画装置２−１〜２−Ｎで描画されたＣＧ画像が表示され、一方、切換器７では、描画装置２−１〜２−Ｎで描画されたＮ個のＣＧ画像を切り換えて出力することにより、オンエア用の映像を生成して出力する。
【００２４】
＜３．本実施形態のＣＧ画像確認システムの動作＞
次に、本実施形態のＣＧ画像確認システムを参議院選挙の開票速報番組に用いた場合を例にして、本実施形態のＣＧ画像確認システムの動作について、以下、図２〜１０を用いて、説明する。
【００２５】
（３．１  データサーバ４の動作）
データサーバ４は、ＣＧ画像を生成するためのデータとして、参議院における与野党の勢力分布、各政党の獲得議席数、各都道府県選挙区での出口調査結果等のデータが格納されている。なお、データサーバ４は、上位の装置（図示せず）に対して前記データの送出を要求することで、上位の装置（図示せず）から最新のデータが送出されることにより、参議院における与野党の勢力分布、各政党の獲得議席数、各都道府県選挙区の出口調査結果等のデータが最新の状態で更新される。そして、データが更新される毎に、これらのデータが描画装置２−１〜２−Ｎ、ＮＥＸＴ画像描画機３に送出される。
【００２６】
（３．２  コントロール端末１−１〜１−Ｎによる事前確認用ＣＧ画像選択）
コントロール端末１−１〜１−Ｎでは、まず、コントロール端末１−１〜１−Ｎの各々の操作者による操作によって、前記の参議院における与野党の勢力分布図、各政党の獲得議席数グラフ、各都道府県選挙区の出口調査結果グラフ等の開票状況に係るＣＧ画像の内、如何なるＣＧ画像の送出前事前確認を行うかを、選択する。なお、如何なるＣＧ画像の送出前事前確認を行うかを操作者が選択するときには、コントロール端末１−１〜１−Ｎの操作画面には、図２に示す画像が表示される。なお、図２は、事前確認するＣＧ画像を選択するときにコントロール端末１−１〜１−Ｎに表示される画像を示す図である。
【００２７】
図２に示す画像が表示されている状態で、例えばＡ地域（県）ボタン２００をマウス（図示せず）でクリックすることで選択した後、ＴＡＫＥボタン２０１をマウス（図示せず）でクリックしたとき、図３の通り、Ａ地域（県）選挙区の出口調査結果のグラフが表示される。また、図２に示す画像が表示されている状態で、例えば各政党の獲得議席数ボタン２０２をマウス（図示せず）でクリックすることで選択した後、ＴＡＫＥボタン２０１をマウス（図示せず）でクリックしたとき、図４の通り、各政党の獲得議席数グラフが表示される。ここでは、コントロール端末１−１の操作者が、参議院勢力ボタン２０５をマウス（図示せず）でクリックすることで、参議院における与野党の勢力分布図を選択した場合を例にして、図５、図６を用いて説明する。
【００２８】
なお、図５は、コントロール端末１−１の動作を示すフローチャート、図６は、コントロール端末１−１、描画装置２−１、ＮＥＸＴ画像描画機３との間で行われる信号送受を時系列で示した図である。
【００２９】
（３．３  コントロール端末１−１で選択したシーンＡ−１のＣＧ画像の送出指令）
コントロール端末１−１に、図２に示す画像が表示されている状態（ステップ５０１）で、操作者が、参議院勢力ボタン２０５をマウス（図示せず）でクリックすることで参議院における与野党の勢力分布図を選択する（ステップ５０２）と、選択したＣＧ画像に関する送出指令を、即ち、参議院における与野党の勢力分布図のＣＧ画像に関する送出指令を、ＮＥＸＴ画像描画機３に出力する（ステップＳ５０３）。選択したＣＧ画像は、図７の通り、１つだけでなく複数存在する場合、ＣＧ画像の描画順序が予め決められているため、冒頭に描画することになっているＣＧ画像をＮＥＸＴ画像描画機３に描画させ送出させるよう指令をだす。
【００３０】
なお、図７は、参議院における与野党の勢力分布図に関するＣＧ画像群の図である。このＣＧ画像群は、シーンＡ−１、シーンＡ−２、シーンＡ−３の３つのＣＧ画像から構成されているため、図６の信号線（ａ）の通り、シーンＡ−１のＣＧ画像をＮＥＸＴ画像描画機３に送出させるよう指令をだす。
【００３１】
（３．４  ＮＥＸＴ画像描画機３によるシーンＡ−１のＣＧ画像送出）
ＮＥＸＴ画像描画機３は、シーンＡ−１のＣＧ画像の送出指令を受信したとき、データサーバ４から送出されて格納された参議院における与野党の勢力分布に関するデータに基づき、シーンＡ−１のＣＧ画像を描画してキャプチャし、このキャプチャした画像ファイルまたはこの画像ファイルの保存先情報を、図６の信号線（ｂ）の通り、コントロール端末１−１に送出する。
【００３２】
なお、キャプチャした画像ファイルは動画像の画像ファイルではなく、静止画像の画像ファイルである。従って、ＮＥＸＴ画像描画機３で描画されたシーンＡ−１のＣＧ画像が動画像であったとしても、キャプチャした画像ファイルは静止画像の画像ファイルであることにより、送出する画像ファイルのデータ量を抑えることができると共に、送出時間も抑えることができる。
【００３３】
（３．５  コントロール端末１−１によるシーンＡ−１のＣＧ画像の表示、格納）
コントロール端末１−１は、ＮＥＸＴ画像描画機３から送出されたシーンＡ−１の画像ファイルまたはこの画像ファイルの保存先情報を受信した（ステップＳ５０４）とき、シーンＡ−１に係る静止画像またはシーンＡ−１の画像ファイルの保存先情報を、操作画面上に表示する。シーンＡ−１の画像ファイルの保存先情報を表示した場合、保存先情報を表示したのを契機に、コントロール端末１−１は、この保存先（シーンＡ−１の画像ファイルのＮＥＸＴ画像描画機３での保存先）にアクセスすることで、シーンＡ−１に係る静止画像が、図８の通り、操作画面上に表示される（ステップＳ５０５）。図８は、コントロール端末１−１に表示されるシーンＡ−１のＣＧ画像を示す図である。なお、保存先情報を表示したのを契機に、コントロール端末１−１が、前記保存先にアクセスすることで、シーンＡ−１に係る静止画像を操作画面上に表示させる以外にも、保存先情報が表示された後、操作者の操作により、前記保存先にアクセスすることで、シーンＡ−１に係る静止画像が、図８の通り、操作画面上に表示されるようにしてもよい。
【００３４】
そして、シーンＡ−１に係る静止画像が、コントロール端末１−１の操作画面上に表示された後、コントロール端末１−１に内蔵または接続された記憶装置８−１に格納される（ステップＳ５０８）。なお、シーンＡ−１は最後のＣＧ画像では無いため、詳細は後記するが、最後のＣＧ画像である旨の情報を受信する（ステップＳ５０６）ことは無いことにより、最後のＣＧ画像である旨の表示は行わない（ステップＳ５０７）。
また、シーンＡ−１だけでなく、シーンＡ−２、シーンＡ−３の画像ファイルまたはこの画像ファイルの保存先情報をコントロール端末１−１が受信したときも、同様にして、シーンＡ−２、シーンＡ−３に係る静止画像が操作画面上に表示されると共に、シーンＡ−２、シーンＡ−３に係る静止画像がコントロール端末１−１に内蔵または接続された記憶装置８−１に格納される。
【００３５】
（３．６  シーンＡ−１のＣＧ画像の事前確認後の処理の選択）
そして、コントロール端末１−１の操作画面上に表示されたシーンＡ−１に係る静止画像の事前確認が行われた後、コントロール端末１−１に下記（１）の処理を行わせるかまたは下記（２）の処理を行わせるかを操作者の操作により選択する。なお、下記（１）の処理を選択する場合には、先画像確認ボタン２０３をマウス（図示せず）でクリックし（ステップＳ５１０）、下記（２）の処理を選択する場合には、送出ボタン２０４をマウス（図示せず）でクリックする（ステップＳ５０９）。
【００３６】
（１）シーンＡ−２、シーンＡ−３に係る静止画像（ＡＦＴＥＲ画像）をコントロール端末１−１の操作画面上に表示させてから、シーンＡ−１のＣＧ画像の描画指令を描画装置２−１に送出する。
（２）シーンＡ−２、シーンＡ−３に係る静止画像（ＡＦＴＥＲ画像）をコントロール端末１−１の操作画面上に表示させることは行わず、シーンＡ−１のＣＧ画像の描画指令を描画装置２−１に送出する。
【００３７】
（３．７  上記（１）の処理を選択した場合のコントロール端末１−１、描画装置２−１、ＮＥＸＴ画像描画機３の動作）
上記（１）の処理を選択した場合について、以下、説明する。
まず、先画像確認ボタン２０３をマウス（図示せず）でクリックする（ステップＳ５１０）と、コントロール端末１−１は、図６の信号線（ｃ）の通り、シーンＡ−１以降のＣＧ画像の送出指令をＮＥＸＴ画像描画機３に送出する（ステップＳ５１１）。
【００３８】
ＮＥＸＴ画像描画機３がシーンＡ−１以降のＣＧ画像の送出指令を受信したとき、シーンＡ−２のＣＧ画像を描画してキャプチャし、このキャプチャした画像ファイルまたはこの画像ファイルの保存先情報を、図６の信号線（ｄ）の通り、コントロール端末１−１に送出する。
【００３９】
コントロール端末１−１は、キャプチャした画像ファイルまたはこの画像ファイルの保存先情報を受信する（ステップＳ５１２）と、シーンＡ−２は最後のＣＧ画像では無いため、最後のＣＧ画像である旨の情報を受信することなく（ステップＳ５１３）、前記と同様にして、シーンＡ−２に係る静止画像またはシーンＡ−２の画像ファイルの保存先情報が、操作画面上に表示される。シーンＡ−２の画像ファイルの保存先情報を表示した場合、保存先情報を表示したのを契機に、コントロール端末１−１は、この保存先（シーンＡ−２の画像ファイルのＮＥＸＴ画像描画機３での保存先）にアクセスすることで、シーンＡ−２に係る静止画像が、図９の通り、操作画面上に表示される（ステップＳ５１４）。図９は、コントロール端末１−１に表示されるシーンＡ−２のＣＧ画像を示す図である。なお、保存先情報を表示したのを契機に、コントロール端末１−１が、前記保存先にアクセスすることで、シーンＡ−２に係る静止画像を操作画面上に表示させる以外にも、前記保存先情報が表示された後、操作者の操作により、前記保存先にアクセスすることで、シーンＡ−２に係る静止画像が、図９の通り、操作画面上に表示されるようにしてもよい。
そして、シーンＡ−２に係る静止画像が、コントロール端末１−１の操作画面上に表示された後、コントロール端末１−１に内蔵または接続された記憶装置８−１に格納される（ステップＳ５１５）。
【００４０】
シーンＡ−２に係る静止画像がコントロール端末１−１に内蔵または接続された記憶装置８−１に格納された後、更に、先画像確認ボタン２０３をマウス（図示せず）でクリックする（ステップＳ５１０）と、コントロール端末１−１は、図６の信号線（ｅ）の通り、シーンＡ−２以降のＣＧ画像の送出指令をＮＥＸＴ画像描画機３に送出する（ステップＳ５１１）。
【００４１】
ＮＥＸＴ画像描画機３が、シーンＡ−２以降のＣＧ画像の送出指令を受信すると、シーンＡ−３のＣＧ画像を描画してキャプチャし、このキャプチャした画像ファイルまたはこの画像ファイルの保存先情報を、図６の信号線（ｆ）の通り、コントロール端末１−１に送出する。更に、シーンＡ−３のＣＧ画像が参議院における与野党の勢力分布図に係るＣＧ画像の内の最後のＣＧ画像である旨の情報も、図６の信号線（ｇ）の通り、コントロール端末１−１に送出する。
【００４２】
コントロール端末１−１は、キャプチャした画像ファイルまたはこの画像ファイルの保存先情報を受信する（ステップＳ５１２）と共に、シーンＡ−３が最後のＣＧ画像である旨の情報を受信する（ステップＳ５１３）。両情報を受信すると、前記と同様にして、シーンＡ−３に係る静止画像またはシーンＡ−３の画像ファイルの保存先情報が、操作画面上に表示されると共に、シーンＡ−３に係る静止画像が参議院における与野党の勢力分布図に係るＣＧ画像の内の最後のＣＧ画像である旨の情報も表示される。シーンＡ−３の画像ファイルの保存先情報を受信した場合、保存先情報を受信したのを契機に、コントロール端末１−１は、この保存先（シーンＡ−３の画像ファイルのＮＥＸＴ画像描画機３での保存先）にアクセスすることで、シーンＡ−３に係る静止画像が、図１０の通り、操作画面上に表示される（ステップＳ５１６）。更に、シーンＡ−３のＣＧ画像が参議院における与野党の勢力分布図に係るＣＧ画像の内の最後のＣＧ画像である旨の情報も表示される（ステップＳ５１７）。図１０は、コントロール端末１−１に表示されるシーンＡ−３のＣＧ画像を示す図である。なお、保存先情報を表示したのを契機に、コントロール端末１−１が、前記保存先にアクセスすることで、シーンＡ−３に係る静止画像が操作画面上に表示させる以外にも、前記保存先情報が表示された後、操作者の操作により、前記保存先にアクセスすることで、シーンＡ−３に係る静止画像が、図１０の通り、操作画面上に表示されるようにしてもよい。
【００４３】
そして、シーンＡ−３に係る静止画像及びシーンＡ−３が最後のＣＧ画像である旨の情報が、コントロール端末１−１の操作画面上に表示された後、シーンＡ−３に係る静止画像がコントロール端末１−１に内蔵または接続された記憶装置８−１に格納される（ステップＳ５１８）。
【００４４】
以上の通り、コントロール端末１−１の操作画面上に表示されたシーンＡ−１に係る静止画像の事前確認が行われた後、送出ボタン２０４をマウス（図示せず）でクリックすることでシーンＡ−１のＣＧ画像の描画指令を送出する前に、シーンＡ−２、Ａ−３に係る静止画像をコントロール端末１−１の操作画面上に表示させて事前確認することができる。
【００４５】
事前確認後、操作者の操作により、送出ボタン２０４をマウス（図示せず）でクリックする（ステップＳ５１９）と、シーンＡ−１は最後のＣＧ画像ではないため（ステップＳ５２０）、コントロール端末１−１は、図６の信号線（ｈ）の通り、シーンＡ−１のＣＧ画像の描画指令を描画装置２−１に送出する（ステップＳ５２１）。更に、コントロール端末１−１は、図６の信号線（ｉ）の通り、シーンＡ−１のＣＧ画像の描画指令を描画装置２−１に送出するだけでなく、シーンＡ−２のＣＧ画像の送出指令をＮＥＸＴ画像描画機３に送出する（ステップＳ５２２）。
【００４６】
描画装置２−１は、コントロール端末１−１からシーンＡ−１のＣＧ画像の描画指令を受信したとき、データサーバ４から送出されて格納された参議院における与野党勢力分布のデータに基づき、シーンＡ−１のＣＧ画像の描画を行い、このシーンＡ−１の画像データをスクリーンモニタ５と切換器７とに映像分配器９−１を介して出力する。
【００４７】
一方、ＮＥＸＴ画像描画機３は、コントロール端末１−１からシーンＡ−２のＣＧ画像の送出指令を受信したとき、データサーバ４から送出されて格納された参議院における与野党勢力分布のデータに基づき、シーンＡ−２のＣＧ画像を描画してキャプチャし、このキャプチャした画像ファイルまたはこの画像ファイルの保存先情報を、図６の信号線（ｊ）の通り、コントロール端末１−１に送出する。
【００４８】
なお、前記の通り、キャプチャした画像ファイルは動画像の画像ファイルではなく、静止画像の画像ファイルである。従って、ＮＥＸＴ画像描画機３で描画されたシーンＡ−２のＣＧ画像が動画像であったとしても、キャプチャした画像ファイルは静止画像の画像ファイルであることにより、送出する画像ファイルのデータ量を抑えることができると共に、送出時間も抑えることができる。
【００４９】
コントロール端末１−１は、ＮＥＸＴ画像描画機３から送出されたシーンＡ−２の画像ファイルまたはこの画像ファイルの保存先情報を受信した（ステップＳ５２３）とき、シーンＡ−２に係る静止画像またはシーンＡ−２の画像ファイルの保存先情報を、操作画面上に表示する。シーンＡ−２の画像ファイルの保存先情報を表示した場合、保存先情報を表示したのを契機に、コントロール端末１−１は、この保存先（シーンＡ−２の画像ファイルのＮＥＸＴ画像描画機３での保存先）にアクセスすることで、シーンＡ−２に係る静止画像が、図９の通り、操作画面上に表示される（ステップＳ５０５）。なお、保存先情報を表示したのを契機に、コントロール端末１−１が、前記保存先にアクセスすることで、シーンＡ−１に係る静止画像を操作画面上に表示させる以外にも、前記保存先情報が表示された後、操作者の操作により、前記保存先にアクセスすることで、シーンＡ−２に係る静止画像が、図９の通り、操作画面上に表示されるようにしてもよい。
【００５０】
そして、シーンＡ−２に係る静止画像が、コントロール端末１−１の操作画面上に表示された後、コントロール端末１−１に内蔵または接続された記憶装置８−１に格納される（ステップＳ５０８）。なお、既に、シーンＡ−２に係る静止画像が記憶装置８−１に格納されている場合には、操作画面上に表示されたシーンＡ−２に係る静止画像が記憶装置８−１に上書きされることで、記憶装置８−１に格納されるシーンＡ−２に係る静止画像が更新される。
【００５１】
（３．８  シーンＡ−２のＣＧ画像の事前確認後の処理の選択）
そして、コントロール端末１−１の操作画面上に表示されたシーンＡ−２に係る静止画像の事前確認が行われた後、前記の通り、コントロール端末１−１に下記（１）の処理を行わせるかまたは下記（２）の処理を行わせるかを操作者の操作により選択する。なお、下記（１）の処理を選択する場合には、先画像確認ボタン２０３をマウス（図示せず）でクリックし、下記（２）の処理を選択する場合には、送出ボタン２０４をマウス（図示せず）でクリックする。
【００５２】
（１）シーンＡ−３に係る静止画像をコントロール端末１−１の操作画面上に表示させてから、シーンＡ−２のＣＧ画像の描画指令を描画装置２−１に送出する。
（２）シーンＡ−３に係る静止画像をコントロール端末１−１の操作画面上に表示させることは行わず、シーンＡ−２のＣＧ画像の描画指令を描画装置２−１に送出する。
【００５３】
（３．９  上記（２）の処理を選択した場合のコントロール端末１−１、描画装置２−１、ＮＥＸＴ画像描画機３の動作）
上記（２）の処理を選択した場合について、以下、説明する。
事前確認後、操作者の操作により、送出ボタン２０４をマウス（図示せず）でクリックする（ステップＳ５０９）と、コントロール端末１−１は、図６の信号線（ｋ）の通り、シーンＡ−２のＣＧ画像の描画指令を描画装置２−１に送出する（ステップＳ５２１）。更に、コントロール端末１−１は、図６の信号線（ｌ）の通り、シーンＡ−２のＣＧ画像の描画指令を描画装置２−１に送出するだけでなく、シーンＡ−３のＣＧ画像の送出指令をＮＥＸＴ画像描画機３に送出する（ステップＳ５２２）。
【００５４】
描画装置２−１は、コントロール端末１−１からシーンＡ−２のＣＧ画像の描画指令を受信したとき、データサーバ４から送出されて格納された参議院における与野党の勢力分布のデータに基づき、シーンＡ−２のＣＧ画像の描画を行い、このシーンＡ−２の画像データをスクリーンモニタ５と切換器７とに映像分配器９−１を介して出力する。
【００５５】
一方、ＮＥＸＴ画像描画機３は、コントロール端末１−１からシーンＡ−３のＣＧ画像の送出指令を受信したとき、データサーバ４から送出されて格納された参議院における与野党の勢力分布のデータに基づき、シーンＡ−３のＣＧ画像を描画してキャプチャし、このキャプチャした画像ファイルまたはこの画像ファイルの保存先情報を、図６の信号線（ｍ）の通り、コントロール端末１−１に送出する。
【００５６】
なお、前記の通り、キャプチャした画像ファイルは動画像の画像ファイルではなく、静止画像の画像ファイルである。従って、ＮＥＸＴ画像描画機３で描画されたシーンＡ−３のＣＧ画像が動画像であったとしても、キャプチャした画像ファイルは静止画像の画像ファイルであることにより、送出する画像ファイルのデータ量を抑えることができると共に、送出時間も抑えることができる。
【００５７】
更に、ＮＥＸＴ画像描画機３は、図６の信号線（ｎ）の通り、シーンＡ−３のＣＧ画像が参議院における与野党の勢力分布図に係るＣＧ画像の内の最後のＣＧ画像である旨の情報もコントロール端末１−１に送出する。
【００５８】
コントロール端末１−１は、ＮＥＸＴ画像描画機３から送出されたシーンＡ−３の画像ファイルまたはこの画像ファイルの保存先情報を受信した（ステップＳ５２３）とき、シーンＡ−３に係る静止画像またはシーンＡ−３の画像ファイルの保存先情報を、操作画面上に表示する。シーンＡ−３の画像ファイルの保存先情報を表示した場合、保存先情報を表示したのを契機に、コントロール端末１−１は、この保存先（シーンＡ−３の画像ファイルのＮＥＸＴ画像描画機３での保存先）にアクセスすることで、シーンＡ−３に係る静止画像が、図１０の通り、操作画面上に表示される（ステップＳ５０５）。なお、前記保存先情報を表示したのを契機に、コントロール端末１−１が、前記保存先にアクセスすることで、シーンＡ−１に係る静止画像を操作画面上に表示させる以外にも、前記保存先情報が表示された後、操作者の操作により、前記保存先にアクセスすることで、シーンＡ−３に係る静止画像が、図１０の通り、操作画面上に表示されるようにしてもよい。
【００５９】
更に、コントロール端末１−１は、ＮＥＸＴ画像描画機３からシーンＡ−３のＣＧ画像が参議院における与野党の勢力分布図に係るＣＧ画像の内の最後のＣＧ画像である旨の情報を受信した（ステップＳ５０６）とき、シーンＡ−３が最後のＣＧ画像である旨の情報が、図１０の通り、コントロール端末１−１の操作画面上に表示される（ステップＳ５０７）。
【００６０】
更にまた、シーンＡ−３に係る静止画像が、コントロール端末１−１の操作画面上に表示されると共に、シーンＡ−３が最後のＣＧ画像である旨の情報が、コントロール端末１−１の操作画面上に表示された後、コントロール端末１−１に内蔵または接続された記憶装置８−１に格納される（ステップＳ５０８）。なお、既に、シーンＡ−３に係る静止画像が記憶装置８−１に格納されている場合には、操作画面上に表示されたシーンＡ−３に係る静止画像が記憶装置８−１に上書きされることで、記憶装置８−１に格納されるシーンＡ−３に係る静止画像が更新される。
【００６１】
（３．１０  シーンＡ−３のＣＧ画像の事前確認後の処理）
そして、コントロール端末１−１の操作画面上に表示されたシーンＡ−３のＣＧ画像の事前確認が行われた後、送出ボタン２０４をマウス（図示せず）でクリックする（ステップＳ５０９）と、図６の信号線（ｏ）の通り、シーンＡ−３のＣＧ画像の描画指令を描画装置２−１に送出する。このシーンＡ−３のＣＧ画像は最後のＣＧ画像である（ステップＳ５２０）ことにより、シーンＡ−３のＣＧ画像を描画装置２−１に描画させて出力させた後（ステップＳ５２４）、参議院における与野党の勢力分布図に関するＣＧ画像の事前確認が終了する。
【００６２】
終了後、図２に示す画像がコントロール端末１−１の操作画面に表示される（ステップＳ５０１）。更に、コントロール端末１−１で、参議院における与野党の勢力分布図、各政党の獲得議席数グラフ、各都道府県での出口調査結果等の開票状況に係るＣＧ画像の内、如何なるＣＧ画像の送出前事前確認を行うかを、操作者の操作によって選択した際、同様にして、選択したＣＧ画像の送出前事前確認を行うことができる。
【００６３】
また、参議院における与野党の勢力分布図に関するＣＧ画像の事前確認が終了後、コントロール端末１−１に内蔵または接続された記憶装置８−１には、シーンＡ−１、シーンＡ−２、シーンＡ−３に係る静止画像が格納されているため、操作者が所定の操作を行うことにより、シーンＡ−１、シーンＡ−２、シーンＡ−３に係る静止画像を、即ち、既に描画装置２−１で描画されて送出されたＣＧ画像を、コントロール端末１−１の操作画面上で表示して、再度確認することができる。
【００６４】
以上の通り、描画装置２−１に描画させて送出されるＣＧ画像を、事前に対応するコントロール端末１−１の操作画面上に表示することによって、ＣＧ画像の送出前事前確認を行うことができる。更に、ＣＧ画像の送出前事前確認を行った後、描画装置２−１にＣＧ画像を描画させて出力させる前に、このＣＧ画像よりも後で描画装置２−１に描画されて出力されることになっているＣＧ画像を、コントロール端末１−１の操作画面上に表示することができるため、送出前事前確認を行ったＣＧ画像よりも後で描画装置２−１に描画されて出力されることになっているＣＧ画像の確認も前もって行うことができる。
【００６５】
また、同様にして、描画装置２−２、描画装置２−３、………、描画装置２−Ｎにそれぞれ描画させて送出させるＣＧ画像を、事前に対応するコントロール端末１−２、コントロール端末１−３、………、コントロール端末１−Ｎの操作画面上に表示することによって、ＣＧ画像の送出前事前確認を行うことができる。
【００６６】
更に、ＣＧ画像の送出前事前確認を行った後、このＣＧ画像を描画装置２−２、描画装置２−３、………、描画装置２−Ｎにそれぞれ描画させて出力させる前に、このＣＧ画像よりも後で描画装置２−２、描画装置２−３、………、描画装置２−Ｎにそれぞれ描画させて出力されることになっているＣＧ画像を、コントロール端末１−２、コントロール端末１−３、………、コントロール端末１−Ｎの操作画面上に表示することができる。従って、送出前事前確認を行ったＣＧ画像よりも後で描画装置２−２、描画装置２−３、………、描画装置２−Ｎにそれぞれ描画させて出力させることになっているＣＧ画像の確認も前もって行うことができる。
【００６７】
以上の通り、本実施形態のＣＧ画像確認システムは、各描画装置２−１、２−２、………、２−Ｎで描画され送出されるテレビジョン放送用のＣＧ画像を、対応するコントロール端末１−１、１−２、………、１−Ｎで事前確認することができる。また、事前確認後、このＣＧ画像を各描画装置２−１、２−２、………、２−Ｎで描画させて送出させる前に、このＣＧ画像よりも後で各描画装置２−１、２−２、………、２−Ｎで描画されて出力されることになっているＣＧ画像を、対応するコントロール端末１−１、１−２、………、１−Ｎで確認することができる。
【００６８】
更に、本実施形態のＣＧ画像確認システムは、データサーバ４から所定の都道府県の選挙区での当確者情報が各描画装置２−１、２−２、………、２−Ｎに送出されたとき、コントロール端末１−１、１−２、………、１−Ｎからの描画指令により、各描画装置２−１、２−２、………、２−ＮがＣＧ画像を描画中であっても、このＣＧ画像の描画を中断し、前記選挙区での当確者情報に関するＣＧ画像を描画して送出する。
【００６９】
例えば、Ａ地域（県）選挙区での当確者情報がデータサーバ４から各描画装置２−１、２−２、………、２−Ｎに送出されたとき、各描画装置２−１、２−２、………、２−ＮがＣＧ画像を描画中であっても、このＣＧ画像の描画を中断し、図３の通り、Ａ地域（県）選挙区で当確者となった候補者を把握できるＣＧ画像を描画して送出する。
【００７０】
更にまた、本実施形態のＣＧ画像確認システムは、各コントロール端末１−１、１−２、………、１−ＮでＣＧ画像の送出前事前確認を行う際、各コントロール端末１−１、１−２、………、１−Ｎからアクセスを受けるＮＥＸＴ画像描画機は、ＮＥＸＴ画像描画機３のみであることにより、システムの巨大化を抑制しているため、システムのコストを削減することができる。なお、１台のＮＥＸＴ画像描画機３にアクセスが集中することとなるため、前記の通り、ＮＥＸＴ画像描画機３で描画されたＣＧ画像が動画像であったとしても、コントロール端末１−１、１−２、………、１−Ｎに送出する画像ファイルは静止画像の画像ファイルとすることにより、送出する画像ファイルのデータ量を抑えることができると共に、送出時間も抑えることができる。
【００７１】
一方、比較例として、図１１のように、ＮＥＸＴ画像描画機３（３−１、３−２、………、３−Ｎ）が、描画装置２（２−１、２−２、………、２−Ｎ）、コントロール端末１（１−１、１−２、………、１−Ｎ）の台数と同数だけ有するＣＧ画像確認システムでは、本実施形態のＣＧ画像確認システムに比べてシステムが巨大化することにより、システムのコストを抑えることができないという不具合を有する。なお、図１１は比較例のＣＧ画像確認システムの構成を示すブロック図である。
【００７２】
このＣＧ画像確認システムでは、各コントロール端末１−１、１−２、………、１−Ｎが、対応する描画装置２−１、２−２、………、２−Ｎに描画するＣＧ画像を事前に操作画面上に表示して確認する場合、対応するＮＥＸＴ画像描画機３−１、３−２、………、３−ＮからこのＣＧ画像の画像ファイルまたはこの画像ファイルの保存先情報を受信している。
【００７３】
なお、本実施形態のＣＧ画像確認システムでは、ＮＥＸＴ画像描画機は１台のみを有しているが、これに限定されるものではない。例えば、ＮＥＸＴ画像描画機の台数が描画装置、コントロール端末の台数よりも少ない台数であるのならば、ＮＥＸＴ画像描画機を複数有するようにしても良い。ＮＥＸＴ画像描画機を複数有することにより、例えば、複数のコントロール端末からＣＧ画像の送出指令がほぼ同時刻に送出されたときでも、分散処理をすることができる。即ち、複数のＣＧ画像の送出要求に対してそれぞれのＮＥＸＴ画像描画機が各々のＣＧ画像をキャプチャし、このキャプチャした画像ファイルまたはこの画像ファイルの保存先情報を対応するコントロール端末に送出することができる。その結果、ＮＥＸＴ画像描画機が１台のみ有している場合に比べて、ＣＧ画像のキャプチャ、キャプチャした画像ファイルまたはキャプチャした画像ファイルの保存先情報のコントロール端末への送出を、高速に行うことができる。
【図面の簡単な説明】
【００７４】
【図１】本発明の一実施形態であるＣＧ画像確認システムの構成を示すブロック図である。
【図２】本発明の一実施形態であるＣＧ画像確認システムにおいて、事前確認するＣＧ画像を選択するときにコントロール端末に表示される画像を示す図である。
【図３】Ａ地域（県）選挙区の出口調査結果のグラフである。
【図４】各政党の獲得議席数グラフである。
【図５】本発明の一実施形態であるＣＧ画像確認システムにおけるコントロール端末の動作を示すフローチャートである。
【図６】本発明の一実施形態であるＣＧ画像確認システムにおいて、コントロール端末、描画装置、ＮＥＸＴ画像描画機との間で行われる信号送受を時系列で示した図である。
【図７】参議院における与野党の勢力分布図に関するＣＧ画像群の図である。
【図８】本発明の一実施形態であるＣＧ画像確認システムにおいて、コントロール端末に表示されるシーンＡ−１のＣＧ画像を示す図である。
【図９】本発明の一実施形態であるＣＧ画像確認システムにおいて、コントロール端末に表示されるシーンＡ−２のＣＧ画像を示す図である。
【図１０】本発明の一実施形態であるＣＧ画像確認システムにおいて、コントロール端末に表示されるシーンＡ−３のＣＧ画像を示す図である。
【図１１】比較例のＣＧ画像確認システムの構成を示すブロック図である。
【符号の説明】
【００７５】
１（１−１〜１−Ｎ）  コントロール端末
２（２−１〜２−Ｎ）  描画装置
３（３−１〜３−Ｎ）  ＮＥＸＴ画像描画機
４                    データサーバ
５                    スクリーンモニタ
６                    ネットワーク
７                    切換器
８−１〜８−Ｎ        記憶装置
９−１〜９−Ｎ        映像分配器
２００                Ａ地域（県）ボタン
２０１                ＴＡＫＥボタン
２０２                各政党の獲得議席数ボタン
２０３                先画像確認ボタン
２０４                送出ボタン
２０５                参議院勢力ボタン
【図１】
0004866380.tif 000002
【図２】
0004866380.tif 000003
【図３】
0004866380.tif 000004
【図４】
0004866380.tif 000005
【図５】
0004866380.tif 000006
【図６】
0004866380.tif 000007
【図７】
0004866380.tif 000008
【図８】
0004866380.tif 000009
【図９】
0004866380.tif 000010
【図１０】
0004866380.tif 000011
【図１１】
0004866380.tif 000012